(57)【要約】【課題】敷居溝から排出された異物を昇降路に落下させることなく、また安全に清掃作業ができるエレベータの敷居装置を得る。【解決手段】乗場戸６を案内する敷居溝９ａを有した敷居９と、敷居９の下方に設けられた受皿１２と、敷居溝９ａから受皿１２の内部空間へ連通する第１の貫通穴１３と、敷居溝９ａよりも乗場側の乗場床１６から受皿１２の内部空間へ連通する第２の貫通穴１４と、第２の貫通穴１４を塞ぐ蓋１５とを備えた。また、第２の貫通穴１４は、第１の貫通穴１３より大とした。【選択図】　図１
2004075373.tif 000002
【特許請求の範囲】
【請求項１】
乗場戸を案内する敷居溝を有した敷居体と、該敷居体の下方に設けられた箱体と、前記敷居溝から前記箱体の内部へ連通する第１の貫通穴と、前記敷居溝よりも乗場側の床面から前記箱体の内部へ連通する第２の貫通穴と、該第２の貫通穴を塞ぐ蓋体と、を具備したことを特徴とするエレベータの敷居装置。
【請求項２】
前記第２の貫通穴は、前記第１の貫通穴より大であることを特徴とする請求項１記載のエレベータの敷居装置。
【請求項３】
前記敷居体は前記敷居溝よりも乗場側に延在しており、前記第２の貫通穴は、前記敷居溝よりも乗場側の前記敷居体から前記箱体の内部へ連通させて設けたことを特徴とする請求項１または請求項２に記載のエレベータの敷居装置。
【請求項４】
前記蓋体は、前記敷居体と同一の素材で形成されていることを特徴とする請求項３記載のエレベータの敷居装置。
【請求項５】
前記蓋体は、前記第２の貫通穴と嵌合する側面を有し、前記蓋体の下面の大きさが前記蓋体の上面の大きさより小さくなるように前記蓋体の側面が傾斜していることを特徴とする請求項１から請求項４のいずれかに記載のエレベータの敷居装置。
【請求項６】
前記箱体は、前記第１の貫通穴近傍の底部から前記第２の貫通穴近傍の底部に向かって下り傾斜に傾斜した低部を有することを特徴とする請求項１から請求項５のいずれかに記載のエレベータの敷居装置。
【発明の詳細な説明】
【０００１】
【発明の属する技術分野】
この発明は、エレベータの乗場の戸を案内する敷居溝に入った異物を除去する機構を設けたエレベータの敷居装置に関するものである。
【０００２】
【従来の技術】
従来、この種のエレベータの敷居装置は、例えば、実開昭５９−１８８２８５号公報に開示されたものがある。
【０００３】
図５は、同実開昭５９−１８８２８５号公報に開示されたエレベータの敷居装置の構成を示すエレベータ乗場の断面図である。
また、図６は、図５におけるＡ部を拡大して示したエレベータの敷居近傍の断面図である。
図５及び図６において、１はエレベータ乗場の壁（以下、乗場壁）、２はエレベータ乗場の床（以下、乗場床）、３は昇降路、４は乗場壁１の昇降路３側に設置されたドアレール、５はドアレール４の上を転動するローラ、６は上端にローラ５の回転軸を固定した懸架部材６ａを設けて懸架されたエレベータ乗場の戸（以下、乗場戸）、７は乗場戸６の下端に設けられた案内子、８は乗場床２に埋設された鉄筋（図示せず）に溶接された支持台、９は乗場戸６の開閉動作において案内子７を摺動可能に支持する敷居溝９ａが設けられた敷居である。ここで、ドアレール４は敷居９と並行に設置されており、案内子７は乗場戸６の開閉動作において敷居溝９ａ内を移動するように構成されている。
【０００４】
敷居９は支持台８の上に設置されている。１０は支持台８の下面に溶接された受皿である。受皿１０には昇降路３側に開口した開口部１０ａが設けられている。１１は敷居溝９ａと受皿１０内の空間とを連通するように敷居９と支持台８に設けられた貫通穴である。
【０００５】
次に動作について説明する。
例えば、エレベータ乗場にかご（図示せず）が到着した時、またはエレベータ乗場に停車しているかごに乗り込もうとしてエレベータ乗場に設けられた乗場呼びボタン（図示せず）を押した時は、乗場戸６の上方でローラ５がドアレール４を転動すると共に、乗場戸６の下方で案内子７が敷居溝９ａに案内され、乗場戸６の開閉動作が行なわれる。この時、敷居溝９ａ内に土砂やゴミ等の異物が落ち込んでいても、それらの異物は直接、貫通穴１１から受皿１０に落ちたり、又は乗場戸６の開閉動作に伴い、案内子７によって貫通穴１１から受皿１０に落とされることになり、乗場戸６の開閉動作が敷居溝９ａに落ち込んだ異物によって阻害されることは無い。
また、受皿１０の清掃は、昇降路３側に開口した開口部１０ａから受皿１０内に蓄積された異物を取り出すようにして行なわれる。
【０００６】
【発明が解決しようとする課題】
従来の実開昭５９−１８８２８５号公報に開示されたエレベータの敷居装置は、受皿１０の清掃を昇降路３側に開口した開口部１０ａから行なうものであり、そのため、開口部１０ａが見える所までかごの床位置をずらす必要がある。かごの床位置をずらし、乗場床２とかごの床（図示せず）との間に段差を設けての作業は危険を伴うものであり、受皿１０の清掃が危険作業になるという課題があった。
また、受皿１０に落ち込んだものが、自然に開口部１０ａより昇降路３へ落下する場合もあり、その落下物によって昇降路３内の設備を破損させたり、更に、その落下物が貴重品であった場合は、その貴重品を破損させてしまうという課題があった。
【０００７】
この発明は上記のような課題を解決するためになされたもので、敷居溝から排出された異物を昇降路に落下させることなく、また安全に清掃作業ができるエレベータの敷居装置を得ることを目的とする。
【０００８】
【課題を解決するための手段】
この発明におけるエレベータの敷居装置は、乗場戸を案内する敷居溝を有した敷居体と、敷居体の下方に設けられた箱体と、敷居溝から箱体の内部へ連通する第１の貫通穴と、敷居溝よりも乗場側の床面から箱体の内部へ連通する第２の貫通穴と、第２の貫通穴を塞ぐ蓋体とを備えたものである。
【０００９】
また、第２の貫通穴は、第１の貫通穴より大としたものである。
【００１０】
また、敷居体は敷居溝よりも乗場側に延在しており、第２の貫通穴は、敷居溝よりも乗場側の敷居体から箱体の内部へ連通させて設けたものである。
【００１１】
また、蓋体は、敷居体と同一の素材で形成されているものである。
【００１２】
また、蓋体は、第２の貫通穴と嵌合する側面を有し、蓋体の下面の大きさが蓋体の上面の大きさより小さくなるように蓋体の側面が傾斜しているものである。
【００１３】
また、箱体は、第１の貫通穴近傍の底部から第２の貫通穴近傍の底部に向かって下り傾斜に傾斜した低部を有するものである。
【００１４】
【発明の実施の形態】
実施の形態１．
図１は、本発明の実施の形態１のエレベータの敷居装置の構成を示すエレベータの敷居近傍の断面図である。図において、３は昇降路、６は乗場戸、７は乗場戸６の下端に設けられた案内子、８はエレベータ乗場の床に埋設された鉄筋（図示せず）に溶接された支持台、９は乗場戸６の開閉動作において案内子７を摺動可能に支持する敷居溝９ａが設けられた敷居である。敷居９は支持台８の上に設置されている。１２は支持台８の下面に溶接された受皿である。ここで、受皿１２と支持台８とで箱体を形成している。
【００１５】
１３は敷居溝９ａと受皿１２内の空間とを連通するように敷居９と支持台８に設けられた第１の貫通穴、１４は敷居溝９ａより乗場側の床面と受皿１２内の空間とを連通するように敷居９と支持台８に設けられた第２の貫通穴、１５はエレベータ乗場の床面より取外し可能に第２の貫通穴を塞ぐ蓋である。ここで、第２の貫通穴１４の内、支持台８の部分に開けられた穴の大きさは敷居９の部分に開けられた穴の大きさより小さく形成されており、エレベータ乗場の床面から第２の貫通穴１４に落とし入れた蓋１５は、穴の大きさが小さく形成された支持台８上で係止するように構成されている。
【００１６】
１６は乗場床である。乗場床１６は、第１の床体１６ａ、第２の床体１６ｂ、敷居９及び蓋１５においてエレベータ乗場の床面に現れている部分を示す。ここで、敷居９、支持台８及び受皿１２は、第２の床体１６ｂを介して第１の床体１６ａに固定されている。
【００１７】
次に動作について説明する。
例えば、エレベータ乗場にかご（図示せず）が到着した時、またはエレベータ乗場に停車しているかごに乗り込もうとしてエレベータ乗場に設けられた乗場呼びボタン（図示せず）を押した時、乗場戸６は下方に設けられた案内子７が敷居溝９ａに案内され、乗場戸６の開閉動作が行なわれる。この時、敷居溝９ａに土砂やゴミ等の異物が落ち込んでいても、それらの異物は直接、貫通穴１３から受皿１２に落ちたり、又は乗場戸６の開閉動作に伴い、案内子７によって貫通穴１３から受皿１２に落とされることになり、乗場戸６の開閉動作が敷居溝９ａに落ち込んだ異物によって阻害されることは無い。
【００１８】
次に、異物が蓄積された受皿１２の清掃について、図を用いて説明する。
図２は、本発明の実施の形態１のエレベータの敷居装置の蓋取り外し方法を示す清掃手順図である。図において、１７は棒状でその先端に略Ｊ字状に折れ曲がった折曲がり部１７ａを有した蓋取外し工具である。ここで、第１の貫通穴１３は、敷居溝９ａの幅方向の長さよりも、案内子７が摺動する方向となる敷居溝９ａの溝方向の長さを長く形成されており、折曲がり部１７ａを敷居溝９ａの溝方向に向けることで蓋取外し工具１７を第１の貫通穴１３に挿入できるように構成されている。
【００１９】
受皿１２の清掃は、まず、折曲がり部１７ａを敷居溝９ａの溝方向に向けて、蓋取外し工具１７を第１の貫通穴１３に挿入し、折曲がり部１７ａを受皿１２に入れる。次に、蓋取外し工具１７を乗場側に回転させて、折曲がり部１７ａの先端を蓋１５の下方に置く。そして、蓋取外し工具１７を引き上げることにより、蓋１５の下面を折曲がり部１７ａの先端により突き上げられ、蓋１５をエレベータ乗場の床面に取り外すことができる。次に、第２の貫通穴１４より、受皿１２に蓄積された異物を取除いて清掃を完了する。
【００２０】
なお、上記実施の形態では、エレベータ乗場の床面から第２の貫通穴１４に落とし入れた蓋１５を支持台８上で係止させるように構成したが、これを、第２の貫通穴１４の内、敷居９の部分に開けられた穴において、その穴の大きさを変えた段差の部分を設け、その段差の部分で蓋１５を係止させるように構成しても良い。
【００２１】
また、上記実施の形態では、蓋取外し工具１７を第１の貫通穴１３より挿入し、蓋１５の下面から突き上げるようにして蓋１５を取外したが、これを、蓋１５の乗場床１６側にフックを設け、そのフックを捕まえて引き上げるようにして取外すように構成しても良い。
【００２２】
また、上記実施の形態における第２の貫通穴１４の大きさを、第１の貫通穴１３の大きさよりも大きく形成しても良い。
【００２３】
また、上記実施の形態における蓋１５の素材を、敷居９と同一としても良い。
【００２４】
また、上記実施の形態における第２の貫通穴１４の乗場床１６側を敷居９に設けたが、これを、第１の床体１６ａ又は第２の床体１６ｂに設けても良い。
【００２５】
以上のように、本発明の実施の形態１のエレベータの敷居装置は、乗場床１６に設けられた第２の貫通穴１４から受皿１２を清掃できるようにしたので、清掃作業の安全性が高まるという効果がある。
【００２６】
また、受皿１２は昇降路３に開口していないので、受皿１２に落ち込んだものが昇降路３に落下することは無く、従ってその落下物によって昇降路３内の設備を破損させることが無いという効果がある。
【００２７】
また、受皿１２に落ち込んだものが貴重品であった場合は、貴重品を昇降路３に落下することは無いので、貴重品を破損せずに回収できるという効果がある。
【００２８】
また、第２の貫通穴１４の大きさを、第１の貫通穴１３の大きさよりも大きく形成したので、受皿１２に落ち込んだものを容易に取り出すことができるという効果がある。
【００２９】
また、乗場床１６側の第２の貫通穴１４は敷居９に設けたので、敷居９部分の貫通穴１４を敷居９と一体に形成できるという効果がある。
【００３０】
また、蓋１５の素材を、敷居９と同一したので、乗場床１６において、蓋１５の部分を敷居９と同一に仕上げることができ、蓋１５と敷居９とを統一されたデザインに形成できるという効果がある。
【００３１】
また、本実施の形態においては、受皿１２を支持台８の下面に溶接することで生まれた空間に異物を蓄積するようにしたが、これを、受皿部分と支持台部分を一体化し、受皿部分と敷居９の下面に生まれる空間に異物を蓄積するように構成しても良く、同様の効果が得られる。
【００３２】
また、本実施の形態においては、受皿１２を支持台８の下面に溶接することで生まれた箱体の空間に異物を蓄積するようにしたが、これを、敷居９の下面に、支持台８と分離して形成した箱体を設け、支持台８を介さずに、その箱体内の空間に連通する第１の貫通穴及び第２の貫通穴を設けて、その箱体に異物を蓄積するように構成しても良く、同様の効果が得られる。
【００３３】
また、本実施の形態においては、第２の貫通穴１４を敷居９と支持台８とを連通するように設けたが、これを、支持台８を介さずに、乗場床１６と受皿１２の側面を通って受皿１２内の空間に連通するように設けても良く、同様の効果が得られる。
【００３４】
実施の形態２．
図３は、本発明の実施の形態２のエレベータの敷居装置の構成を示すエレベータの敷居近傍の断面図である。図において、１４ａは敷居溝９ａより乗場側の床面と受皿１２内の空間とを連通するように敷居９と支持台８に設けられた第２の貫通穴である。ここで、第２の貫通穴１４ａの内、敷居９の部分に開けられた穴の大きさは、乗場床１６側から支持台８側に向かって徐々に小さくなるように形成されている。１５ａは乗場床１６より取外し可能に第２の貫通穴を塞ぐ蓋である。蓋１５ａには、蓋１５ａの下面の大きさが蓋１５ａの上面の大きさより小さくなるように蓋１５ａの側面が傾斜した傾斜部１５ｂが設けられており、この傾斜部１５ｂと第２の貫通穴１４ａの敷居９部分が嵌合するように構成されている。
【００３５】
次に動作について説明する。
本実施の形態は、実施の形態１と同様に動作する。但し、蓋１５ａには、蓋１５ａの下面の大きさが蓋１５ａの上面の大きさより小さくなるように蓋１５ａの側面が傾斜した傾斜部１５ａが設けられているため、蓋１５ａは上方に外れやすくなっている。
【００３６】
以上のように、本発明の実施の形態２のエレベータの敷居装置は、蓋１５ａに、蓋１５ａの下面の大きさが蓋１５ａの上面の大きさより小さくなるように蓋１５ａの側面が傾斜した傾斜部１５ａが設けられているため、蓋１５ａは上方に外れやすくなり、受皿１２の清掃において、蓋１５ａをより容易に取外すことができるという効果がある。
【００３７】
実施の形態３．
図４は、本発明の実施の形態３のエレベータの敷居装置の構成を示すエレベータの敷居近傍の断面図である。図において、１２ａは支持台８の下面に溶接された受皿である。受皿１２ａの底面は、第１の貫通穴１３の直下近傍から第２の貫通穴１４の直下近傍に向かって下り傾斜となる傾斜部１２ｂが設けられている。
【００３８】
次に動作について説明する。
本実施の形態は、実施の形態１と同様に動作する。但し、受皿１２ａの底面に設けられた傾斜部１２ｂによって、第１の貫通穴１３から落ち込んだ落下物は第２の貫通穴１４の直下近傍に集まりやすくなる。
【００３９】
以上のように、本発明の実施の形態３のエレベータの敷居装置は、受皿１２ａの底面に設けられた傾斜部１２ｂによって、第１の貫通穴１３から落ち込んだ落下物は第２の貫通穴１４の直下近傍に集まりやすくなるので、落下物の取出しが容易に行なえるという効果がある。
【００４０】
【発明の効果】
この発明におけるエレベータの敷居装置は、乗場床に設けられた第２の貫通穴から受皿を清掃できるようにしたので、清掃作業の安全性が高まる。
【００４１】
また、受皿は昇降路に開口していないので、受皿に落ち込んだものが昇降路に落下することは無く、従ってその落下物によって昇降路内の設備を破損させることが無い。
【００４２】
また、受皿に落ち込んだものが貴重品であった場合は、貴重品を昇降路に落下することは無いので、貴重品を破損せずに回収できる。
【００４３】
また、第２の貫通穴の大きさを、第１の貫通穴の大きさよりも大きく形成したので、受皿に落ち込んだものを容易に取り出すことができる。
【００４４】
また、乗場床側の第２の貫通穴は敷居に設けたので、敷居部分の貫通穴を敷居と一体に形成できる。
【００４５】
また、蓋の素材を、敷居と同一したので、乗場床において、蓋の部分を敷居と同一に仕上げることができ、蓋と敷居とを統一されたデザインに形成できる。
【００４６】
また、蓋に、蓋の下面の大きさが蓋の上面の大きさより小さくなるように蓋の側面が傾斜した傾斜部が設けられているため、蓋は上方に外れやすくなり、受皿の清掃において、蓋をより容易に取外すことができる。
【００４７】
また、受皿の底面に設けられた傾斜部によって、第１の貫通穴から落ち込んだ落下物は第２の貫通穴の直下近傍に集まりやすくなるので、落下物の取出しが容易に行なえる。
【図面の簡単な説明】
【図１】本発明の実施の形態１のエレベータの敷居装置の構成を示すエレベータの敷居近傍の断面図である。
【図２】本発明の実施の形態１のエレベータの敷居装置の蓋取り外し方法を示す清掃手順図である。
【図３】本発明の実施の形態２のエレベータの敷居装置の構成を示すエレベータの敷居近傍の断面図である。
【図４】本発明の実施の形態３のエレベータの敷居装置の構成を示すエレベータの敷居近傍の断面図である。
【図５】従来のエレベータの敷居装置の構成を示すエレベータ乗場の断面図である。
【図６】従来のエレベータの敷居近傍の断面図である。
【符号の説明】
３　昇降路、６　乗場戸、７　案内子、８　支持台、９　敷居、９ａ　敷居溝、１２、１２ａ　受皿、１２ｂ　傾斜部、１３　第１の貫通穴、１４　第２の貫通穴、１５、１５ａ　蓋、１５ｂ　傾斜部、１６　乗場床
【図１】
2004075373.tif 000003
【図２】
2004075373.tif 000004
【図３】
2004075373.tif 000005
【図４】
2004075373.tif 000006
【図５】
2004075373.tif 000007
【図６】
2004075373.tif 000008